(57)【要約】【課題】既存枠体を撤去することなく、より簡単な作業で既存扉と同じ位置に新規扉を取り付けることができ、かつ、外観が損なわれるのを防止することができる扉取替方法を提供する。【解決手段】既存枠体２の一部を切断し（図３（ａ））、建物の開口部１の周縁部のうち既存枠体２が切断された部分に対応する位置に凹部１１を形成することにより（図３（ｂ））、当該凹部１１に進入可能な係止部が設けられた新規扉を既存扉と同じ位置に取付可能とする。既存枠体２の一部を切断する際には、既存枠体２にバリや傷などが生じることとなるが、凹部１１に対応する位置に新規孔３３が形成されたプレート３を既存枠体２に取り付けることにより（図３（ｃ））、外観が損なわれるのを防止することができる。【選択図】  図３
2014070483.tif 000002
【特許請求の範囲】
【請求項１】
建物に形成された開口部に固定されている既存枠体から、当該既存枠体に対して開閉可能に取り付けられている既存扉を取り外し、新規扉を開閉可能に取り付けるための扉取替方法であって、
前記既存枠体の一部を切断する切断工程と、
前記開口部の周縁部のうち、前記切断工程により前記既存枠体が切断された部分に対応する位置に凹部を形成する凹部形成工程と、
前記凹部に対応する位置に新規孔が形成されたプレートを前記既存枠体に取り付けるプレート取付工程とを含み、
前記プレートを前記既存枠体に取り付けた後に、前記既存枠体に取り付けられている前記新規扉を閉状態とした場合には、当該新規扉に設けられた係止部が、前記プレートに形成された新規孔を介して前記凹部に進入可能となることを特徴とする扉取替方法。
【請求項２】
前記既存枠体は、２つの縦枠と２つの横枠とを含む矩形状に固定されており、
前記プレートは、前記２つの縦枠のうち一方の縦枠に対して、当該縦枠の上端部から下端部まで延びるように取り付けられることを特徴とする請求項１に記載の扉取替方法。
【請求項３】
前記プレートは、前記新規孔が形成された第１プレート部と、当該第１プレート部に直交する第２プレート部とを含むＬ字状に形成されており、
前記プレートが前記既存枠体に取り付けられた状態では、前記第１プレート部が、閉状態の前記新規扉の側面に対向し、前記第２プレート部が、閉状態の前記新規扉の表面に対して平行に延びることを特徴とする請求項１又は２に記載の扉取替方法。
【請求項４】
前記プレート取付工程では、前記第１プレート部及び前記第２プレート部が、固定具により前記既存枠体に固定され、
前記新規扉の端部には、当該新規扉と前記既存枠体との隙間を隠すための端部部材が取り付けられており、前記新規扉が閉状態のときに、前記第２プレート部を固定している固定具が前記端部部材により覆われた状態となることを特徴とする請求項３に記載の扉取替方法。
【請求項５】
前記既存枠体には、前記既存扉に設けられた係止部を進入させるための既存孔が形成されており、
前記プレートが前記既存枠体に取り付けられた状態では、前記既存孔が前記プレートにより塞がれることを特徴とする請求項１〜４のいずれかに記載の扉取替方法。
【発明の詳細な説明】
【技術分野】
【０００１】
本発明は、建物に形成された開口部に固定されている既存枠体から、当該既存枠体に対して開閉可能に取り付けられている既存扉を取り外し、新規扉を開閉可能に取り付けるための扉取替方法に関するものである。
【背景技術】
【０００２】
例えば建物をリフォームする際には、玄関扉などの扉が既存扉から新規扉に取り替えられる場合がある（例えば、特許文献１参照）。特に玄関扉については、近年、開閉時にハンドルを上下方向に回転させるレバーハンドル式の既存扉から、ハンドルを前後方向に押したり引いたりすることにより開閉を行うプッシュプルハンドル式の新規扉に取り替えるなど、種類の異なる扉への取り替えが望まれる場合がある。また、セキュリティの向上の観点により、施錠のためのシリンダを１つだけ備えたシングルロック式の既存扉から、シリンダを２つ備えたダブルロック式の新規扉への取り替えなどが望まれる場合もある。
【０００３】
通常、扉により開閉される建物の開口部には、当該開口部の周縁部に沿って枠体が固定されている。扉を閉状態で保持するためのラッチボルトや、扉を施錠するためのデッドボルトなどのように、枠体に係止させる係止部が扉に設けられている場合には、枠体における当該係止部に対応する位置に孔が形成され、当該孔に係止部を進入させることができるようになっている。
【０００４】
扉を取り替える際には、既存扉と新規扉とで係止部の位置や数が変更になる場合があり、この場合、係止部を進入させるための枠体の孔についても、対応する位置や数を変更する必要がある。例えば、シングルロック式の既存扉が取り付けられた枠体に、係止部を進入させるための孔が１つだけ形成されている場合には、ダブルロック式の新規扉に取り替える際に、枠体に２つの孔が必要になる場合がある。このような場合には、建物の開口部に固定された既存枠体に、新規扉に対応する新規枠体を取り付けるなどの作業が行われている。
【０００５】
図６は、既存枠体１０２に新規枠体１０３を取り付けた状態の一例を示した断面図であり、鉛直方向に沿った断面を示している。また、図７は、既存枠体１０２に新規枠体１０３を取り付けた状態の一例を示した断面図であり、水平方向に沿った断面を示している。
【０００６】
建物に形成された開口部１０１には、既存枠体１０２が固定されており、当該既存枠体１０２に取り付けられた新規枠体１０３に対して、新規扉１０４が開閉可能に取り付けられている。この例では、扉の一例である玄関扉が新規扉１０４に取り替えられた状態が示されており、新規扉１０４により、建物の外部側と内部側とを区画することができるようになっている。
【０００７】
既存枠体１０２は、例えば２つの縦枠１２１と２つの横枠１２２とを含む矩形状に固定されている。２つの縦枠１２１は、それぞれ開口部１０１の側端縁に沿って鉛直方向に延びている。一方、２つの横枠１２２は、それぞれ開口部１０１の上端縁及び下端縁に沿って水平方向に延びている。縦枠１２１及び横枠１２２は、例えば鉄板により形成されており、それぞれ開口部１０１の周縁部に対応する形状に折り曲げられている。
【０００８】
新規枠体１０３は、例えば２つの縦枠１３１と２つの横枠１３２とを含む矩形状に取り付けられる。２つの縦枠１３１は、それぞれ既存枠体１０２の縦枠１２１に沿って鉛直方向に延びている。一方、２つの横枠１３２は、それぞれ既存枠体１０２の横枠１２２に沿って水平方向に延びている。縦枠１３１及び横枠１３２は、例えば鉄板により形成されており、それぞれ新規扉１０４を取付可能な形状に折り曲げられている。
【０００９】
このような新規枠体１０３を既存枠体１０２に取り付ける構成の場合には、通常、図６及び図７に示すように、新規枠体１０３が既存枠体１０２に対して外部側に張り出した状態で取り付けられる。そして、図中に二点鎖線で示すように、既存枠体１０２に既存扉１０５が取り付けられていた位置よりも外部側において、新規枠体１０３に新規扉１０４が取り付けられるようになっている。
【００１０】
このように、新規枠体１０３が既存枠体１０２に対して外部側に張り出した構成とすることにより、新規扉１０４に備えられたラッチボルトやデッドボルトなどの係止部（図示せず）を、新規枠体１０３（例えば縦枠１３１）に予め形成された孔に進入させることが可能になる。すなわち、新規扉１０４の係止部を進入させるための孔を新規枠体１０３に予め形成しておけば、新規枠体１０３を既存枠体１０２に取り付けた後、新規枠体１０３に対して新規扉１０４を開閉可能に取り付けるだけで作業が完了する。
【００１１】
新規枠体１０３を既存枠体１０２に取り付ける際には、新規枠体１０３と既存枠体１０２との間に取付部材１０６が設けられる。具体的には、既存枠体１０２の縦枠１２１及び横枠１２２に対して、それぞれ１つ又は複数の取付部材１０６がビスなどの固定具１０７を用いて取り付けられた後、これらの取付部材１０６に対して、新規枠体１０３の縦枠１３１及び横枠１３２が、それぞれビスなどの固定具１０８を用いて取り付けられるようになっている。
【先行技術文献】
【特許文献】
【００１２】
【特許文献１】特開２００６−３７６６６号公報
【発明の概要】
【発明が解決しようとする課題】
【００１３】
既存枠体１０２は、いわゆる有効開口を規定しており、新規枠体１０３を取り付ける前の状態では、２つの縦枠１２１間の距離である幅Ｗ１、及び、２つの横枠１２２間の距離である高さＨ１の範囲内で、人や物などの出入りが可能となっている。しかし、新規枠体１０３を取り付けた後の状態では、既存枠体１０２の有効開口を規定する部分に、取付部材１０６を介して新規枠体１０３が取り付けられるため、有効開口が小さくなってしまうという問題がある。
【００１４】
すなわち、新規枠体１０３を取り付けた後の状態では、新規枠体１０３の２つの縦枠１３１間の距離である幅Ｗ２、及び、２つの横枠１３２間の距離である高さＨ２により、有効開口が規定されることとなる。新規枠体１０３を取り付けた後の有効開口の幅Ｗ２及び高さＨ２は、新規枠体１０３を取り付ける前の有効開口の幅Ｗ１及び高さＨ１よりも小さく、出入りできる人や物などの範囲が狭くなってしまう。また、例えば玄関網戸などのように有効開口の部分に取付可能な部材が既存枠体１０２に取り付けられている場合には、当該部材を既存枠体１０２から新規枠体１０３に付け替えることができないという問題も生じる。
【００１５】
このような問題を解消するために、新規枠体１０３を奥行きが小さい形状とすることにより、既存枠体１０２における有効開口よりも外部側の部分にのみ新規枠体１０３を取り付けることも考えられる。このように、既存枠体１０２の有効開口を新規枠体１０３で覆わないような構成とすれば、新規枠体１０３を取り付ける前後で、有効開口の大きさが変化するのを防止することができる。
【００１６】
しかしながら、このような構成では、既存枠体１０２に対する新規枠体１０３の取付部分が狭くなるため、新規枠体１０３を強固に取り付けることが困難になる。特に、図６及び図７に示すように、新規枠体１０３が既存枠体１０２に対して外部側に張り出した状態で取り付けられるような構成の場合には、新規枠体１０３を強固に取り付けることがさらに困難になる。
【００１７】
また、既存枠体１０２を撤去して、開口部１０１に対応する形状の新規枠体に取り替えることにより、既存扉１０５と同じ位置に新規扉１０４を取り付けることも考えられるが、この場合には、作業が煩雑になるとともに、既存枠体１０２を廃棄することとなるため廃棄物が増加するという問題がある。
【００１８】
本発明は、上記実情に鑑みてなされたものであり、既存枠体を撤去することなく、より簡単な作業で既存扉と同じ位置に新規扉を取り付けることができ、かつ、外観が損なわれるのを防止することができる扉取替方法を提供することを目的とする。
【課題を解決するための手段】
【００１９】
本発明に係る扉取替方法は、建物に形成された開口部に固定されている既存枠体から、当該既存枠体に対して開閉可能に取り付けられている既存扉を取り外し、新規扉を開閉可能に取り付けるための扉取替方法であって、前記既存枠体の一部を切断する切断工程と、前記開口部の周縁部のうち、前記切断工程により前記既存枠体が切断された部分に対応する位置に凹部を形成する凹部形成工程と、前記凹部に対応する位置に新規孔が形成されたプレートを前記既存枠体に取り付けるプレート取付工程とを含み、前記プレートを前記既存枠体に取り付けた後に、前記既存枠体に取り付けられている前記新規扉を閉状態とした場合には、当該新規扉に設けられた係止部が、前記プレートに形成された新規孔を介して前記凹部に進入可能となることを特徴とする。
【００２０】
このような構成によれば、既存枠体の一部を切断し、建物の開口部の周縁部のうち既存枠体が切断された部分に対応する位置に凹部を形成することにより、当該凹部に進入可能な係止部が設けられた新規扉を既存扉と同じ位置に取付可能とすることができる。既存枠体の一部を切断する際には、既存枠体にバリや傷などが生じることとなるが、凹部に対応する位置に新規孔が形成されたプレートを既存枠体に取り付けることにより、外観が損なわれるのを防止することができる。したがって、既存枠体を撤去することなく、より簡単な作業で既存扉と同じ位置に新規扉を取り付けることができ、かつ、外観が損なわれるのを防止することができる。
【００２１】
前記既存枠体は、２つの縦枠と２つの横枠とを含む矩形状に固定されていてもよい。この場合、前記プレートは、前記２つの縦枠のうち一方の縦枠に対して、当該縦枠の上端部から下端部まで延びるように取り付けられてもよい。
【００２２】
このような構成によれば、既存枠体における２つの縦枠のうち一方の縦枠に対してのみ切断工程を行い、当該一方の縦枠の上端部から下端部まで延びるようにプレートを取り付けることができる。これにより、一方の縦枠に対する最小限の作業で新規扉を取付可能にすることができるとともに、当該一方の縦枠の上端部から下端部まで延びるプレートが、既存枠体との間に一体感を生じさせるため、外観が損なわれるのを効果的に防止することができる。
【００２３】
前記プレートは、前記新規孔が形成された第１プレート部と、当該第１プレート部に直交する第２プレート部とを含むＬ字状に形成されていてもよい。この場合、前記プレートが前記既存枠体に取り付けられた状態では、前記第１プレート部が、閉状態の前記新規扉の側面に対向し、前記第２プレート部が、閉状態の前記新規扉の表面に対して平行に延びていてもよい。
【００２４】
このような構成によれば、プレートをＬ字状に形成することにより、強度を高くすることができるため、プレートのたわみを抑制し、扉取替後の耐久性を向上することができる。また、切断工程の際に、既存枠体の２つの面に跨ってバリや傷などが生じた場合であっても、それら２つの面に沿ってＬ字状のプレートを取り付けることにより、外観が損なわれるのを効果的に防止することができる。
【００２５】
前記プレート取付工程では、前記第１プレート部及び前記第２プレート部が、固定具により前記既存枠体に固定されてもよい。この場合、前記新規扉の端部には、当該新規扉と前記既存枠体との隙間を隠すための端部部材が取り付けられており、前記新規扉が閉状態のときに、前記第２プレート部を固定している固定具が前記端部部材により覆われた状態となってもよい。
【００２６】
このような構成によれば、固定具によりプレートを既存枠体に対して強固に取り付けることができるとともに、新規扉が閉状態のときには、新規扉に取り付けられている端部部材を用いて、第２プレート部を固定している固定具を覆うことができるため、外観が損なわれるのを効果的に防止することができる。
【００２７】
前記既存枠体には、前記既存扉に設けられた係止部を進入させるための既存孔が形成されていてもよい。この場合、前記プレートが前記既存枠体に取り付けられた状態では、前記既存孔が前記プレートにより塞がれてもよい。
【００２８】
このような構成によれば、プレートを既存枠体に取り付けることにより、既存枠体に形成されている既存孔を当該プレートで塞ぐことができるため、不要となる既存孔を容易に塞ぐことができ、外観が損なわれるのを容易に防止することができる。
【発明の効果】
【００２９】
本発明によれば、既存枠体の一部を切断し、開口部の周縁部のうち既存枠体が切断された部分に対応する位置に凹部を形成することにより、既存枠体を撤去することなく、より簡単な作業で、凹部に進入可能な係止部が設けられた新規扉を既存扉と同じ位置に取付可能とすることができるとともに、凹部に対応する位置に新規孔が形成されたプレートを既存枠体に取り付けることにより、外観が損なわれるのを防止することができる。
【図面の簡単な説明】
【００３０】
【図１】本発明の一実施形態に係る扉取替方法により扉が取り替えられた状態を示す正面図である。
【図２】既存枠体及びプレートの構成例を示す分解斜視図である。
【図３】既存枠体にプレートを取り付ける際の態様について説明するための要部拡大斜視図である。
【図４】既存枠体にプレートを取り付けた状態の一例を示した断面図であり、鉛直方向に沿った断面を示している。
【図５】既存枠体にプレートを取り付けた状態の一例を示した断面図であり、水平方向に沿った断面を示している。
【図６】既存枠体に新規枠体を取り付けた状態の一例を示した断面図であり、鉛直方向に沿った断面を示している。
【図７】既存枠体に新規枠体を取り付けた状態の一例を示した断面図であり、水平方向に沿った断面を示している。
【発明を実施するための形態】
【００３１】
図１は、本発明の一実施形態に係る扉取替方法により扉が取り替えられた状態を示す正面図である。建物に形成された開口部１は、例えば縦長の矩形状であり、当該開口部１の周縁部に沿って既存枠体２が固定されている。
【００３２】
既存枠体２は、例えば２つの縦枠２１と２つの横枠２２とを含む矩形状に固定されている。２つの縦枠２１は、例えば鉄板により形成されており、それぞれ開口部１の側端縁に沿って鉛直方向に延びている。一方、２つの横枠２２は、例えば鉄板により形成されており、それぞれ開口部１の上端縁及び下端縁に沿って水平方向に延びている。図１では、既存枠体２に対して開閉可能に取り付けられていた既存扉（図示せず）が取り外され、新規扉４が開閉可能に取り付けられた状態が示されている。
【００３３】
本実施形態における新規扉４は、例えば玄関扉であり、開閉時に把持されるハンドル４１が設けられている。この例では、上下方向に延びるハンドル４１を前後方向に押したり引いたりすることにより開閉を行うプッシュプルハンドル式の新規扉４が、既存枠体２に取り付けられている。ハンドル４１の上端部及び下端部には、施錠のためのシリンダ４２が１つずつ設けられ、これにより、シリンダ４２を２つ備えたセキュリティの高いダブルロック式の新規扉４となっている。
【００３４】
既存枠体２の２つの縦枠２１のうち一方の縦枠２１には、プレート３が取り付けられている。具体的には、新規扉４のハンドル４１が設けられている側の縦枠２１に対して、当該縦枠２１の上端部から下端部まで延びるようにプレート３が取り付けられている。新規扉４は、プレート３が取り付けられている側とは反対側の縦枠２１に対して、複数（例えば２つ）の蝶番４３により開閉可能に取り付けられている。すなわち、新規扉４は、例えば蝶番４３などで構成される回転軸を中心に回転することにより開閉可能な構成となっている。
【００３５】
図２は、既存枠体２及びプレート３の構成例を示す分解斜視図である。既存枠体２の一方の縦枠２１には、既存扉（図示せず）を既存枠体２に係止させる際に使用する既存孔２３が形成されている。既存扉には、既存扉を閉状態で保持するためのラッチボルト、又は、既存扉を施錠するためのデッドボルトなどの係止部（図示せず）が設けられており、扉取替前においては、閉状態の既存扉に設けられた係止部を既存孔２３に進入させることができるようになっている。
【００３６】
既存枠体２から既存扉を取り外し、新規扉４を取り付ける場合には、既存孔２３が形成されている縦枠２１にプレート３が取り付けられる。プレート３は、例えば鉄板により形成されており、当該プレート３が取り付けられる既存枠体２の縦枠２１に対応する形状に折り曲げられている。この例では、プレート３が、互いに直交する第１プレート部３１と第２プレート部３２とを含むＬ字状に形成されている。プレート３は、鉄板以外の材料により形成されていてもよいが、既存枠体２と同じ材料により形成されていることが好ましい。
【００３７】
プレート３の第１プレート部３１には、新規扉４に設けられたラッチボルト又はデッドボルトなどの係止部（図示せず）を進入させるための新規孔３３が形成されている。この例では、上述のような構成を有する新規扉４に対応して、第１プレート部３１に２つの新規孔３３が形成されている。このように、新規孔３３は、プレート３に複数形成されていてもよいし、１つだけ形成されていてもよい。
【００３８】
図３は、既存枠体２にプレート３を取り付ける際の態様について説明するための要部拡大斜視図である。既存枠体２にプレート３を取り付ける際には、まず、既存枠体２におけるプレート３を取り付ける側の縦枠２１の一部が切断される（切断工程）。
【００３９】
具体的には、図３（ａ）に示すように、縦枠２１に対して、扉取替後に新規扉４が閉状態となったときに新規扉４の係止部が対向する位置に、サンダーなどの工具を用いて切欠き２４を形成する作業が行われる。図３（ａ）の例では、作業性の観点から、縦枠２１における既存孔２３が形成されている面２５だけではなく、この面２５に直交する面２６にも跨って切欠き２４が形成されている。この場合、２つの面２５、２６に跨るように形成された切欠き２４によって、縦枠２１の角部が部分的に切除された状態となり、縦枠２１の内側にある開口部１の周縁部が露出する。
【００４０】
その後、図３（ｂ）に示すように、縦枠２１に切欠き２４を形成することにより露出した開口部１の周縁部に対して、ハンマードリルなどの工具を用いてはつることにより凹部１１を形成する作業が行われる（凹部形成工程）。これにより、開口部１の周縁部のうち、切断工程により縦枠２１が切断された部分（切欠き２４）に対応する位置に、凹部１１を形成することができる。切欠き２４及び凹部１１の形状は、新規扉４の係止部に応じた形状となる。
【００４１】
このようにして凹部１１が形成された後、切欠き２４が形成された縦枠２１に対してプレート３が取り付けられる（プレート取付工程）。具体的には、図３（ｃ）に示すように、縦枠２１の２つの面２５、２６に、プレート３の第１プレート部３１及び第２プレート部３２がそれぞれ対向するように、プレート３が縦枠２１に取り付けられる。プレート３には、凹部１１に対応する位置に新規孔３３が形成されており、プレート３が縦枠２１に取り付けられた状態では、凹部１１と新規孔３３とが連通した状態となる。図３（ｃ）には示していないが、凹部１１には、新規扉４の係止部を受けるためのストライクが取り付けられる。
【００４２】
この例では、プレート３における既存孔２３に対向する位置とは異なる位置に、新規孔３３が形成されている。これにより、図３（ｃ）に示すように、プレート３が縦枠２１に取り付けられた状態で、既存孔２３がプレート３（第１プレート部３１）により塞がれるようになっている。
【００４３】
図４は、既存枠体２にプレート３を取り付けた状態の一例を示した断面図であり、鉛直方向に沿った断面を示している。また、図５は、既存枠体２にプレート３を取り付けた状態の一例を示した断面図であり、水平方向に沿った断面を示している。図４及び図５では、既存枠体２に新規扉４が取り付けられた状態が示されており、新規扉４により、建物の外部側と内部側とを区画することができるようになっている。
【００４４】
既存枠体２は、いわゆる有効開口を規定しており、プレート３の取付前及び取付後のいずれの状態においても、２つの縦枠２１間の距離である幅Ｗ、及び、２つの横枠２２間の距離である高さＨの範囲内で、人や物などの出入りが可能となっている。このような構成によれば、例えば玄関網戸などのように有効開口の部分に取付可能な部材が既存枠体２に取り付けられている場合に、新規扉４への扉取替後も当該部材を継続して使用することができる。
【００４５】
この例では、気密性を確保するための気密ゴム５が既存枠体２に取り付けられている。具体的には、既存枠体２の２つの縦枠２１及び２つの横枠２２における有効開口よりも外部側に、既存枠体２に沿って気密ゴム５が矩形状に配置されている。扉取替後は、図４及び図５に示すように、閉状態の新規扉４の内部側の周縁部が気密ゴム５に当接することにより、気密性が確保される。
【００４６】
プレート３は、既存枠体２の一方の縦枠２１における有効開口よりも外部側に取り付けられる。このとき、図５に示すように、プレート３は、気密ゴム５により構成される気密構造よりも外部側に位置している。したがって、扉取替時には、既存の気密ゴム５を新しいものに交換することも可能ではあるが、既存の気密ゴム５をそのまま使用することも可能である。すなわち、本実施形態のような構成によれば、扉取替時に気密構造を変更する必要がない。
【００４７】
図５に示すように、プレート３が縦枠２１に取り付けられた状態では、第１プレート部３１が、閉状態の新規扉４の側面４ａに対向し、第２プレート部３２が、閉状態の新規扉４の表面４ｂに対して平行に延びている。これにより、縦枠２１の２つの面２５、２６により形成される角部をプレート３で覆うことができる。プレート３は、例えばビスなどの固定具６を用いて、第１プレート部３１が縦枠２１の面２５に固定され、第２プレート部３２が縦枠２１の面２６に固定されることにより、縦枠２１に取り付けられる。
【００４８】
新規扉４が閉状態のときには、新規扉４の側面４ａと、当該側面４ａに対向する縦枠２１との間に、例えば３〜４ｍｍ程度の間隔が形成される。プレート３の厚みは、例えば１〜２ｍｍ程度であり、新規扉４に接触しない程度の厚みに設定される。ただし、これらの値は一例に過ぎず、例えば新規扉４を若干小さく形成することにより、プレート３と新規扉４との接触を防止することも可能である。
【００４９】
また、図５に示すように、新規扉４の側面４ａ側の端部には、新規扉４と縦枠２１との隙間を隠して、新規扉４の係止部などに対する外部側からの不正操作を防止し、セキュリティを向上するための端部部材４４が取り付けられている。端部部材４４は、いわゆる煙返しであり、例えば新規扉４の側面４ａに沿って上端部から下端部まで延びる金具により構成されている。
【００５０】
この例では、新規扉４が閉状態のときに、端部部材４４がプレート３の第２プレート部３２に対向する位置まで延びている。より具体的には、新規扉４が閉状態のときに、プレート３の第２プレート部３２を固定している固定具６が、端部部材４４により覆われた状態となる。
【００５１】
新規扉４には、ラッチボルト４５及びデッドボルト４６などの係止部４７が、上下方向に所定間隔を隔てて複数設けられている。図５に示すように、プレート３を既存枠体２に取り付けた後に、既存枠体２に取り付けられている新規扉４を閉状態とした場合には、新規扉４に設けられた係止部４７が、プレート３に形成された新規孔３３を介して凹部１１に進入可能となる。
【００５２】
本実施形態では、既存枠体２の一部を切断し、建物の開口部１の周縁部のうち既存枠体２が切断された部分に対応する位置に凹部１１を形成することにより、当該凹部１１に進入可能な係止部４７が設けられた新規扉４を既存扉と同じ位置に取付可能とすることができる。既存枠体２の一部を切断する際には、既存枠体２にバリや傷などが生じることとなるが、凹部１１に対応する位置に新規孔３３が形成されたプレート３を既存枠体２に取り付けることにより、外観が損なわれるのを防止することができる。したがって、既存枠体２を撤去することなく、より簡単な作業で既存扉と同じ位置に新規扉４を取り付けることができ、かつ、外観が損なわれるのを防止することができる。
【００５３】
特に、既存枠体２における２つの縦枠２１のうち一方の縦枠２１に対してのみ切断工程を行い、当該一方の縦枠２１の上端部から下端部まで延びるようにプレート３を取り付けることができる。これにより、一方の縦枠２１に対する最小限の作業で新規扉４を取付可能にすることができるとともに、当該一方の縦枠２１の上端部から下端部まで延びるプレート３が、既存枠体２との間に一体感を生じさせるため、外観が損なわれるのを効果的に防止することができる。プレート３は、当該プレート３が取り付けられる縦枠２１と同じ色に塗装されていることが好ましい。ただし、プレート３は、縦枠２１の上端部から下端部まで延びるような構成に限定されるものではない。
【００５４】
また、本実施形態では、プレート３をＬ字状に形成することにより、強度を高くすることができるため、プレート３のたわみを抑制し、扉取替後の耐久性を向上することができる。また、切断工程の際に、既存枠体２の２つの面２５、２６に跨ってバリや傷などが生じた場合であっても、それら２つの面２５、２６に沿ってＬ字状のプレート３を取り付けることにより、外観が損なわれるのを効果的に防止することができる。
【００５５】
特に、固定具６によりプレート３を既存枠体２に対して強固に取り付けることができるとともに、新規扉４が閉状態のときには、新規扉４に取り付けられている端部部材４４を用いて、第２プレート部３２を固定している固定具６を覆うことができるため、外観が損なわれるのを効果的に防止することができる。ただし、プレート３を縦枠２１に固定する際には、ビスなどの固定具６を用いるような構成に限らず、例えば接着剤などの他の手段を用いて固定するような構成であってもよい。また、プレート３は、Ｌ字状に形成された構成に限らず、他のあらゆる形状により構成することができる。
【００５６】
さらに、本実施形態では、プレート３を既存枠体２に取り付けることにより、既存枠体２に形成されている既存孔２３を当該プレート３で塞ぐことができるため、不要となる既存孔２３を容易に塞ぐことができ、外観が損なわれるのを容易に防止することができる。ただし、既存孔２３をプレート３で塞ぐような構成に限らず、例えば既存枠体２における既存孔２３を含む領域を切断して切欠き２４を形成し、その領域に凹部１１を形成するような構成であってもよい。
【００５７】
以上の実施形態では、扉の一例である玄関扉の取替方法について説明したが、本発明は、玄関扉に限らず、建物に設けられた各種扉を取り替える場合に適用することができる。例えば建物の内部に設けられた扉の場合には、新規扉４にデッドボルト４６が設けられておらず、例えばラッチボルト４５だけが設けられた構成であってもよい。このように、係止部４７の構成が異なる場合には、その係止部４７の構成に対応するように、開口部１に凹部１１を形成し、プレート３に新規孔３３を形成すればよい。
【００５８】
また、新規扉４は、プッシュプルハンドル式やダブルロック式の扉に限らず、レバーハンドル式やシングルロック式などの他の種類の扉であってもよい。この場合、既存扉を種類の異なる新規扉４に取り替えるような構成に限らず、同じ種類の新規扉４に取り替えるような構成においても、本発明を適用することが可能である。
【符号の説明】
【００５９】
１    開口部
２    既存枠体
３    プレート
４    新規扉
４ａ  側面
４ｂ  表面
５    気密ゴム
６    固定具
１１    凹部
２１    縦枠
２２    横枠
２３    既存孔
２４    切欠き
３１    第１プレート部
３２    第２プレート部
３３    新規孔
４１    ハンドル
４２    シリンダ
４３    蝶番
４４    端部部材
４５    ラッチボルト
４６    デッドボルト
４７    係止部
１０１    開口部
１０２    既存枠体
１０３    新規枠体
１０４    新規扉
１０５    既存扉
１０６    取付部材
１０７    固定具
１０８    固定具
１２１    縦枠
１２２    横枠
１３１    縦枠
１３２    横枠
【図１】
2014070483.tif 000003
【図２】
2014070483.tif 000004
【図３】
2014070483.tif 000005
【図４】
2014070483.tif 000006
【図５】
2014070483.tif 000007
【図６】
2014070483.tif 000008
【図７】
2014070483.tif 000009